(57)【要約】【課題】防音二重床では、支持脚を設置できる場所が限定される場合がある。これまでの防振根太工法ではレベル調整用の雌ねじを所定間隔で配置した根太部材を使用しているため、使用できる場所が限定されていた。【解決手段】根太部材にレールを設け、雌ねじを自由に移動できる構造にすることで対応できる。根太部材には予めレベル調整時に用いる穴を所定間隔で開けているが、その穴の位置が合わない場合も現場にてドリルで開けることができ、調節できるという特徴も有す。【選択図】　なし【特許請求の範囲】
【請求項１】
防振根太工法を使って防音二重床を施工する場合において、支持脚を固定する根太の雌ねじが自由に移動できる構造としたことを特徴とする防音二重床。
【請求項２】
構造根太部材にレールを設け、支持脚を固定する雌ねじが自由に移動できる構造であることを特徴とした請求項１に記載の防音二重床。
【請求項３】
構造根太部材にレベル調整用の穴を予め設けた構造であることを特徴とした請求項１に記載の防音二重床。
【請求項４】
レベル調整用の穴を後加工で任意な位置に設けることができる根太部材を使用した請求項１に記載の防音二重床。
【発明の詳細な説明】
【０００１】
【発明の属する技術分野】
本発明は、集合住宅、戸建て住宅用の二重床、特に防音性の高い二重床に関する。支持脚の取り付け位置を自由に変更できる防振根太。
【０００２】
【従来の技術】
集合住宅では、階上の住人が発生する音にその階下の住人が悩まされるといった音に起因した問題が多発する傾向にある。また、戸建ての住宅においても、例えば２階の物音が気になるなど、同様の問題が発生している。この問題を解決するため、住宅としての防音性が見直され、種々の工夫がなされている。
【０００３】
防音二重床もその一つであり、端部支持構造からの見直しもなされている。従来からの端部支持構造には、支持脚として束を使用した際根太工法があるが、近年、防音性を高めるために防振ゴムを支持脚に使用した防振根太工法が普及してきた。
【０００４】
防音二重床には床下空間に給排水管、ガス管、電気配線などのラインを配設できるという特長があるが、間取りなどの関係でそれらラインの複雑な配置、密な配置などにより支持脚を設置できる場所が限定される場合がある。従来の際根太工法では支持脚の束を自由に配置できるが、これまでの防振根太工法ではレベル調整用の雌ねじを所定間隔で配置した根太部材を使用しているため、支持脚の取り付け位置が予め定まっていた。そのため、支持脚の設置位置が限定される箇所では防音性が劣る際根太工法を使用せざるを得なかった。
【０００５】
これらの改善のため、例えば、特開７−２５２９２５号公報には構造パネルにレベル調整用の雌ねじを挿入する多数の孔を予め設けておき、必要な箇所に支持脚を設置できるような方式が、特開９−４１６４３号公報には際根太工法の改良として際根太と構造パネルを支持する根太の間に防振ゴムを挟む方式が、さらには特開９−１７７２８９号公報には際根太工法の改良として際根太と構造パネルの間に防振ゴムを挟む方式が開示されている。
【０００６】
【発明が解決しようとする課題】
防音二重床には床下空間に給排水管、ガス管、電気配線などのラインを配設できるという特長があるが、間取りなどの関係でそれらラインの複雑な配置、密な配置などにより支持脚を設置できる場所が限定される場合がある。これまでの防振根太工法ではレベル調整用の雌ねじを所定間隔で配置した根太部材を使用しているため、支持脚の取り付け位置が予め定まっていた。そのため、支持脚の設置位置が限定される箇所では、際根太工法を使用せざるを得ず、防音性能がよい防振根太工法による防音二重床を使うことができなかった。
【０００７】
特開７−２５２９２５号公報の方法では、剛性が必要な構造パネルに孔を多数設けるための煩雑さの他、強度が低下する問題もあった。特開９−４１６４３号公報の方法では際根太、構造パネルを支持する根太、その間に用いる防振ゴムの連結作業が繁雑であった。また、特開９−１７７２８９号公報の方法では防音性を考慮する際、根太工法を用いているが、防音性は防振根太工法に劣るという問題があった。
【０００８】
【課題を解決するための手段】
上述の問題点を解決するために、鋭意検討した結果、本発明に至った。すなわち、防振根太工法を使って防音二重床を施工する場合において、支持脚を固定する根太の雌ねじが自由に移動できる構造とすることにより、上述の問題点を改善することができる。また、構造根太部材にレールを設け、支持脚を固定する雌ねじが自由に移動できる構造であることや構造根太部材にレベル調整用の穴を予め設けた構造であることを特徴としている。さらには、レベル調整用の穴を後加工で任意な位置に設けることができる根太部材を使用した防音二重床である。
【０００９】
【発明の実施の形態】
根太部材、レールの材質は木、合板、ＬＶＬ、プラスチック（発泡ポリスチレン、発泡ＡＢＳなど）、アルミニウムなどの軟らかい金属が考えられるが、本発明に該当する部材であれば材質は問わない。根太部材の寸法の基本は縦２０〜５０ｍｍ×横３０〜５０ｍｍ×長さ９００ｍｍであるが、例えば長さが２０００ｍｍの長尺ものを現場にて切断してもよい。
【００１０】
雌ねじは、レールに沿って移動可能とするが、レールと雌ねじの隙間は極力小さくする。隙間が大きいと、がたつきが発生しやすく、接着剤を用いてもレールと雌ねじの固定が不十分となる。また、雌ねじはレールに填った状態では回転しない形状とする。雌ねじに対して支持脚のボルトのみ回転させることでレベル調整を行うため雌ねじが回転するとレベル調整ができないからである。
【００１１】
レベル調整時に用いる穴は現場における後加工で自由に開けることができるので設けなくてもよいが、施工性を高めるため予め設ける場合、穴は支持脚に用いるボルトの水平断面積よりも大きい面積とする。形状は円、楕円、正四角形、長方形など何でも良い。穴を設ける間隔は穴形状が円の場合、１００ｍｍ間隔とするが、間隔は１００ｍｍより小さくても大きくてもよい。
【００１２】
根太部材にレール機能を付与する方法は根太部材自体がレールを持つ形状にしても良いし、別に作製したレール部材を根太部材と一体化させても良い。
【００１３】
【実施例】
以下、実施例に基づき、述べる。
【００１４】
（実施例１）
給排水管やガス管などのために支持脚を設置できる場所が限定されている床基盤の端部に、金属製の雌ねじを自由に移動できるように溝を設けた発泡ポリエチレン製の根太部材を配置した。その際、図１および図２に示すように、雌ねじ７に取り付けた防振ゴム５付きの支持脚４を、レール１０を利用して設置可能箇所に移動させ、給排水管やガス管などの配管をさけることで根太部材６の配置を可能とした。根太部材６には１００ｍｍ間隔で穴を開けており、レベル調整用の穴１１を利用してレベル調整を行った。レベル調整後にウレタン系接着剤で支持脚４と、雌ねじ７、根太部材６をそれぞれ固定した。その根太部材と部屋の中央部に配置した支持脚４付きの台座３を支えとして、構造パネルである厚さ２０ｍｍのパーティクルボード２および厚さ１２ｍｍのフローリング材１を載せ、壁に幅木１４を取り付け、防音二重床を得た。
【００１５】
得られた二重床について、ＪＩＳ　Ａ　１４１８−１に基づいて床衝撃音遮断性能試験（軽量衝撃音の遮断性能）を実施したところ、２５０Ｈｚにおいて床基盤よりも１７ｄＢの改善がみられた。
【００１６】
（実施例２）
実施例１と同じように金属製の雌ねじを自由に移動できるように溝を設けた発泡ＡＢＳ製の根太部材を用いて、雌ねじに取り付けた支持脚を設置可能箇所に移動させた。その際、予め根太部材に設けていたレベル調整用の穴の位置では一部の支持脚が設置できなかったため、支持脚を設置可能な位置に手動ドリルで根太部材に穴を開け、支持脚を設置できるようにし、開けた穴を利用してレベル調整を行った。レベル調整後にウレタン系接着剤で支持脚と、雌ねじ、根太部材をそれぞれ固定した。その根太部材と部屋の中央部に配置した防振ゴム付の支持脚を支えとして、構造パネルである厚さ２０ｍｍのパーティクルボードおよび厚さ１２ｍｍのフローリング材を載せ、防音二重床を得た。
【００１７】
得られた二重床について、ＪＩＳ　Ａ　１４１８−１に基づいて床衝撃音遮断性能試験（軽量衝撃音の遮断性能）を実施したところ、２５０Ｈｚにおいて床基盤よりも１７ｄＢの改善がみられた。このように予め設けたレベル調整用の穴の位置では支持脚を設置できず、この穴を利用できない場合でも簡単に現場にて支持脚が設置できる位置に合わせて穴を開けることができ、支持脚を設置できた。
【００１８】
（比較例１）
実施例１と同様に支持脚の設置場所が限定されている床基盤の際部に、図３に示す普及している防振根太１２を施工しようとしたが、支持脚を配置する位置にガス管があり、さらには雌ねじ１３が固定されているため、使用できなかった。そのため、図４に示すように木製の束９を用いた木根太８を施工し、その木根太８と部屋の中央部に配置した防振ゴム５付の支持脚４付きの台座３を支えとして、厚さ２０ｍｍのパーティクルボード２および厚さ１２ｍｍのフローリング材１を載せ、壁に幅木１４を取り付け、防音二重床を得た。
【００１９】
得られた二重床について、ＪＩＳ　Ａ　１４１８−１に基づいて床衝撃音遮断性能試験（軽量衝撃音の遮断性能）を実施したところ、２５０Ｈｚにおいて床基盤よりも１０ｄＢの改善がみられたが、実施例１に比べ７ｄＢ改善量が小さかった。
【００２０】
（比較例２）
実施例２と同様に支持脚の設置場所が限定されている床基盤の際部に、金属製の雌ねじを自由に移動できるように溝を設けたＳＵＳ製の根太部材を用いて、雌ねじに取り付けた支持脚を設置可能箇所に移動させた。その際、予め根太部材に設けていたレベル調整用の穴の位置では一部の支持脚が設置できず、現場で利用可能な手動ドリルでは根太部材に穴を開けることができず、使用できなかった。そのため、木製の束を用いた木根太を施工し、その木根太と部屋の中央部に配置した防振ゴム付の支持脚を支えとして、厚さ２０ｍｍのパーティクルボードおよび厚さ１２ｍｍのフローリング材を載せ、防音二重床を得た。
【００２１】
得られた二重床について、ＪＩＳ　Ａ　１４１８−１に基づいて床衝撃音遮断性能試験（軽量衝撃音の遮断性能）を実施したところ、２５０Ｈｚにおいて床基盤よりも１０ｄＢの改善がみられたが、実施例２に比べ７ｄＢ改善量が小さかった。
【００２２】
【発明の効果】
二重床の防音性能の向上。
【図面の簡単な説明】
【図１】実施例に示した防振根太工法の改良の一例である。
【図２】実施例に示した防振根太部材の一例である。
【図３】比較例に示した従来の防振根太部材の一例である。
【図４】比較例に示した従来の際根太工法の一例である。
【符号の説明】
１　フローリング材
２　ベースパネル
３　台座
４　支持脚
５　防振ゴム
６　防振根太
７　雌ねじ
８　木根太
９　束
１０　レール部
１１　レベル調整用の穴
１２　比較例の防振根太
１３　比較例の雌ねじ
１４　幅木
【図１】
2004084410.tif 000002
【図２】
2004084410.tif 000003
【図３】
2004084410.tif 000004
【図４】
2004084410.tif 000005